(57)【要約】【課題】系統インピーダンスＸＳを監視し、補償用無効電力Ｑ（ＶＲＥＦ）の演算のためのゲインＧを自動調整することにより、系統条件に拘わらず最適なフリッカ補償を行うことである。【解決手段】電力系統に無効電力Ｑを供給する無効電力出力回路２と、当該無効電力出力回路を制御する制御装置３とを備え、前記制御装置３が、前記電力系統の電圧の維持とは別に前記系統電圧ＶＢを微小変動させる為に出力する微小変動用無効電力Ｑ（ΔＶＲＥＦ）と、その微小変動用無効電力Ｑ（ΔＶＲＥＦ）を出力したときに変動する系統電圧ＶＢとの関係から、前記電力系統の系統インピーダンスＸＳを算出するインピーダンス算出部３４と、前記インピーダンス算出部３４により算出された系統インピーダンスＸＳに基づいて、フリッカが生じたときに前記系統電圧を基準値に維持するために出力する補償用無効電力Ｑ（ＶＲＥＦ）のゲインＧを調整するゲイン調整部３５とを備えている。【選択図】図１
2007267440.tif 000002
【特許請求の範囲】
【請求項１】
電力系統に接続され、その電力系統に無効電力を供給して、当該電力系統の電圧調整を行う無効電力補償装置であって、
前記電力系統に無効電力を供給する無効電力出力回路と、当該無効電力出力回路を制御する制御装置とを備え、
前記制御装置が、前記電力系統の電圧の維持とは別に前記系統電圧を微小変動させる為に出力する微小変動用無効電力と、その微小変動用無効電力を出力したときに変動する系統電圧との関係から、前記電力系統の系統インピーダンスを算出するインピーダンス算出部と、
前記インピーダンス算出部により算出された系統インピーダンスに基づいて、フリッカが生じたときに前記系統電圧を基準値に維持するために出力する補償用無効電力のゲインを調整するゲイン調整部と、を備えている無効電力補償装置。
【請求項２】
前記無効電力出力回路が、前記電力系統に接続されるリアクトルと、当該リアクトルに直列に接続されるサイリスタとを備えている請求項１記載の無効電力補償装置。
【請求項３】
前記無効電力出力回路が、リアクトルを介して前記電力系統に接続される自励式インバータとコンデンサとを備えている請求項１記載の無効電力補償装置。
【請求項４】
前記制御装置が、前記系統電圧とその基準値との乖離が閾値を超えた場合に、前記微小変動用無効電力を出力して、前記系統インピーダンスを算出することを特徴とする請求項１、２又は３記載の無効電力補償装置。
【請求項５】
前記制御装置が、一定の時間間隔で、前記微小変動用無効電力を出力して、前記系統インピーダンスを算出することを特徴とする請求項１、２又は３記載の無効電力補償装置。
【請求項６】
前記系統電圧をその基準値から一定の範囲に収めるために、前記系統電圧を監視して、前記微小変動用無効電力に制限を加えること特徴とする請求項１、２、３、４又は５記載の無効電力補償装置。
【請求項７】
前記制御装置が、複数の異なる微小変動用無効電力を出力し、そのときに変動した系統電圧から、前記微小変動用無効電力と変動した系統電圧との回帰直線を求め、その回帰直線から系統インピーダンスを算出するものであることを特徴とする請求項１、２、３、４、５又は６記載の無効電力補償装置。
【発明の詳細な説明】
【技術分野】
【０００１】
本発明は、電力系統に無効電力を供給することにより系統電圧を調整する装置に関し、特に系統電圧のフリッカ現象を抑制する装置に関するものである。
【背景技術】
【０００２】
工場内での例えばアーク炉や電動機等の大型電気設備の起動や停止などにより生じる負荷無効電力の大幅な変動により、電圧降下及び電圧変動が生じ、工場内の電気設備等に悪影響を及ぼしたり、近接する家庭において、蛍光灯やテレビなどがちらつくという現象（フリッカ現象）が生じることがある。
【０００３】
従来、このフリッカ現象の原因となる電圧変動を抑える代表的なフリッカ対策装置としては、特許文献１に示すように、サイリスタ位相制御リアクトル（ＴＣＲ）方式の無効電力補償装置（ＳＶＣ）がある（図７参照）。
【０００４】
このＴＣＲ方式ＳＶＣでは、フリッカ現象の原因となる電圧変動ΔＶフリッカを補償するのに必要な補償用無効電力Ｑは電源側の系統インピーダンスＸＳにほぼ比例するため、ΔＶフリッカに応じた補償用無効電力Ｑを算出するための制御ゲインは、系統インピーダンスＸＳに応じて調整される。さらに、系統インピーダンスＸＳは季節や時間帯による電力系統構成に応じて変化する。以上の結果、前記制御ゲインを固定したままでは、ＴＣＲ方式のＳＶＣでの充分なフリッカ補償効果が得られないという問題がある。
【特許文献１】特開平１１−２６６５３８号公報
【発明の開示】
【発明が解決しようとする課題】
【０００５】
そこで本発明は、上記問題点を一挙に解決するためになされたものであり、系統インピーダンスＸＳを監視し、フリッカ現象を抑制のために出力する補償用無効電力Ｑの演算のためのゲインを自動調整することにより、系統条件に拘わらず最適なフリッカ補償を行う無効電力補償装置を提供することをその主たる所期課題とするものである。
【課題を解決するための手段】
【０００６】
すなわち本発明に係る無効電力補償装置は、電力系統に接続され、その電力系統に無効電力を供給して、当該電力系統の電圧調整を行う無効電力補償装置であって、前記電力系統に無効電力を供給する無効電力出力回路と、当該無効電力出力回路を制御する制御装置とを備え、前記制御装置が、前記電力系統の電圧の維持とは別に前記系統電圧を微小変動させる為に出力する微小変動用無効電力と、その微小変動用無効電力を出力したときに変動する系統電圧との関係から、前記電力系統の系統インピーダンスを算出するインピーダンス算出部と、前記インピーダンス算出部により算出された系統インピーダンスに基づいて、フリッカが生じたときに前記系統電圧を基準値に維持するために出力する補償用無効電力のゲインを調整するゲイン調整部と、を備えていることを特徴とする。
【０００７】
ここで、系統インピーダンスの算出とは、前記基準電圧設定部が、故意に出力する基準電圧信号を短時間に微小変化させ、系統電圧を変動させた際の結果の系統電圧変動分と無効電力変動分とより求める。
【０００８】
また、基準値とは、定格系統電圧のような固定値でもよいし、測定した系統電圧をフリッカの原因となる電圧変動の周期よりも十分に長い周期で平均化した値でもよい。
【０００９】
このようなものであれば、系統インピーダンスＸＳを計測し、補償用無効電力Ｑ演算のためのゲインを自動調整することにより、系統条件に拘わらず最適なフリッカ補償を行う装置を提供することができる。
【００１０】
より具体的には、前記制御装置が、系統電圧を計測して、その電圧計測信号を出力する電圧計測部と、系統電圧の基準値を設定して、その基準電圧信号を出力する基準電圧設定部と、前記電圧計測部からの電圧計測信号と前記基準電圧設定部からの基準電圧信号の差だけ系統電圧を変動させるための無効電力を算出し無効電力算出信号を出力する無効電力算出部と、前記無効電力算出部からの無効電力算出信号により前記サイリスタの制御信号（ゲートパルス）を生成するためのサイリスタ制御部と、前記無効電力算出部によって算出された微小変動用無効電力と前記電圧計測部が計測した系統電圧とに基づいて、前記電力系統の系統インピーダンスを算出するインピーダンス算出部と、前記インピーダンス算出部により算出された系統インピーダンスに基づいて、フリッカが生じたときの補償用無効電力のゲインを調整するゲイン調整部と、を備えている。
【００１１】
無効電力補償回路の具体的な実施の態様としては、前記電力系統に接続されるリアクトルと、当該リアクトルに直列に接続されるサイリスタとを備えていることが考えられる。また、ＩＧＢＴやＧＴＯなどの自力消弧型半導体素子とコンデンサの組み合わせによる自励式インバータをリアクトルを介して前記電力系統に接続して構成することも考えられる。
【００１２】
前記基準電圧設定部は、基準電圧信号を微小変化させ、その都度前記インピーダンス算出部が系統インピーダンスを更新し、前記ゲイン調整部がゲイン調整することを、前記系統電圧とその基準値との乖離が閾値を超えた場合、より好ましくは、前記電圧計測部からの電圧計測信号の値と前記基準電圧設定部からの基準電圧信号の値との誤差の累積平均値があらかじめ定めた閾値を超えた場合に行えば効果的である。
【００１３】
また、前記基準電圧設定部が、基準電圧信号を微小変化させ、その都度前記インピーダンス算出部が系統インピーダンスを更新し、前記ゲイン調整部がゲイン調整することを、一定時間間隔で行うものでも良い。
【００１４】
さらに、前記基準電圧設定部が、一定の時間に一定の変化率で、前記基準電圧を変化させて出力することにより、前記無効電力出力回路が出力した微小変動用無効電力と変動した系統電圧との回帰直線からゲイン調整のための系統インピーダンスを求めると、より効果的である。
【００１５】
さらに、電力系統の系統電圧を故意に変動させるにあたり電力系統に必要以上の電圧変動を生じさせないためには、前記基準電圧設定部においても、系統電圧を監視し、前記基準電圧の変化量を制限するものであることが望ましい。つまり、こ前記系統電圧をその基準値から一定の範囲に収めるために、前記系統電圧を監視して、前記微小変動用無効電力に制限を加えることが望ましい。
【発明の効果】
【００１６】
このように本発明によれば、系統インピーダンスＸＳを計測し、補償用無効電力Ｑ演算のためのゲインを自動調整することにより、系統条件に拘わらず最適なフリッカ補償を行う装置を提供することができる。
【発明を実施するための最良の形態】
【００１７】
以下に本発明の一実施形態に係る無効電力補償装置について図面を参照して説明する。なお、以下の説明においては、単に「無効電力」というときは、補償用無効電力及び微小変動用無効電力を併せたものを示すものとし、それらを区別する場合には、それぞれ「補償用無効電力」、「微小変動用無効電力」という。
【００１８】
本実施形態に係る無効電力補償装置１は、図１に示すように、電力系統に接続され、その電力系統に無効電力Ｑを供給して、当該電力系統の電圧フリッカを抑制するものであって、前記電力系統に接続される無効電力出力回路２と、当該無効電力出力回路２の動作を制御する制御装置３とを具備している。なお、電力系統は、系統電源４と、フリッカの原因となるアーク炉や溶接機などを簡易にモデル化した変動負荷５と、フリッカ発生には無関係な一般負荷９と、系統母線６とを含むものである。
【００１９】
以下に無効電力出力回路２及び制御装置３について説明する。
【００２０】
無効電力出力回路２は、電力系統の系統母線６に無効電力Ｑを出力する回路であり、系統母線６に接続される第１のリアクトル２１と当該第１のリアクトル２１に直列に接続されるサイリスタ２２と、前記第１のリアクトル２１に並列に接続された第２リアクトル２３と、当該第２のリアクトル２３に直列に接続されたコンデンサ２４とからなる。第１のリアクトル２２と第２のリアクトル２３との接続点は、電力系統の電圧規制点（連系点）７によって系統母線６に接続されている。
【００２１】
制御装置３は、系統母線６に設けられた計器用変圧器（ＰＴ）８により検出された系統母線電圧ＶＢ等に基づいてサイリスタ２２を点弧角制御するものである。より具体的には、サイリスタ２２を点弧角制御することにより、本来の無効電力補償によるフリッカ抑制のための制御と、さらに故意に系統母線電圧ＶＢを微小変化させることにより、系統インピーダンスＸＳを監視して補償用無効電力Ｑ算出のためのゲインＧを自動調整する機能を併せ持つものである。つまり、無効電力出力回路２に補償用無効電力Ｑ（ＶＲＥＦ）及び微小変動用無効電力Ｑ（ΔＶＲＥＦ）を出力させるものである。その機器構成は、図２に示すように、ＣＰＵ３０１、メモリ３０２、入出力インターフェイス３０３、ＡＤ変換器３０４等を備えた汎用乃至専用のコンピュータであり、前記メモリ３０２の所定領域に記憶させた所定プログラムにしたがってＣＰＵ３０１、周辺機器等を協働させることにより、本来の無効電力補償機能に加えて、系統インピーダンスＸＳの計測機能及びゲインＧの自動調整機能も有する。つまり、図３に示すように、電圧計測部３１、無効電力算出部３２、基準電圧設定部３３、インピーダンス算出部３４、ゲイン調整部３５、サイリスタ制御部３６等としての機能を発揮する。もちろん、これら各機能を発揮させるために、コンピュータによることなくバッファや増幅器、比較器等を用いたディスクリートアナログ回路を用いて構成しても構わない。
【００２２】
以下に各部３１〜３６について説明する。
【００２３】
電圧計測部３１は、系統母線６に設けられた計器用変圧器（ＰＴ）８からの検出信号を、制御装置３の内部で取り扱う、例えばディジタル信号値（以下、電圧計測信号という。）に変換し、無効電力算出部３２と、基準電圧設定部３３と、インピーダンス算出部３４に出力するものである。
【００２４】
基準電圧設定部３３は、系統母線電圧ＶＢの制御目標である基準値ＶＲＥＦに、後述する系統インピーダンス算出のために、故意に系統母線電圧ＶＢの制御目標を微小変化させるための微小変化△ＶＲＥＦを加算した基準電圧信号ＶＲＥＦ＋△ＶＲＥＦを出力するものである。ここで、微小変化△ＶＲＥＦは、微小変動用無効電力Ｑ（△ＶＲＥＦ）を出力するためのものである。また、前記微小変化△ＶＲＥＦは、通常時は０であり、基準電圧設定部３３のもうひとつの出力信号であるインピーダンス変更指示信号はＬ（Ｌｏｗ）レベルにある。
【００２５】
ここで、系統母線電圧ＶＢの基準値ＶＲＥＦは、計器用変圧器８の出力を当該系統のフリッカの原因となる電圧変動の周期よりも十分に長い周期で平均化したもので、本実施形態ではこの周期を３０秒とする。
【００２６】
そして、電圧計測部３１からの電圧計測信号の値と基準電圧設定部３３からの基準電圧信号の値との誤差の１分ごとの累積平均値が、定格系統電圧の±０．５％を超過した場合に、基準電圧設定部３３は、図４に示すように、前記微小変化△ＶＲＥＦを、０を初期値とし、定格系統電圧の０．１％のステップ幅で１秒間隔で上昇または下降させ、プラスもしくはマイナス１％の値を１秒間設定した時点で終了する。
【００２７】
なお、上昇と下降の違いは、前記累積平均値が定格系統電圧の−０．５％を超過した場合に上昇、＋０．５％を超過した場合には下降とする。そして、これらの値は、前記微小変化△ＶＲＥＦを、電力系統において変動負荷５と一般負荷９が正常に動作する範囲に収めなければならないため、ここでは一般的な負荷時タップ切替付変圧器における電圧調整幅を目安として定めている。
【００２８】
さらに、基準電圧設定部３３は、前記微小変化△ＶＲＥＦに０以外の値を設定している間、インピーダンス変更指示信号をＨ（Ｈｉｇｈ）レベルとして、インピーダンス算出部３４に出力する。
【００２９】
無効電力算出部３２は、後述するゲイン調整部３５により調整されたゲインＧに基づいて、電圧計測部３１からの電圧計測信号と基準電圧設定部３３からの基準電圧信号ＶＲＥＦ＋△ＶＲＥＦの差電圧ΔＶフリッカを補償するために必要な無効電力Ｑ（ΔＶフリッカ）を算出するものである。
【００３０】
ここで、ゲインＧは、差電圧ΔＶフリッカを無効電力Ｑに換算するためのものであり、事前に把握できる精度の系統定数Ｘｓおよび負荷定数Ｘｌを用いて、以下の式（１）の初期値をとる。そして、後述するようにゲイン調整部３５により都度調整される。
【００３１】
【数１】
2007267440.tif 000003
【００３２】
インピーダンス算出部３４は、初期値としては前記系統定数Ｘｓをインピーダンス算出信号として出力し、以下のように、無効電力算出部３２によって出力された無効電力Ｑ（ΔＶフリッカ）及び電圧計測部３１が計測した系統母線電圧ＶＢと基づいて、インピーダンス算出ゲインＧを更新するものである。
【００３３】
具体的には、インピーダンス算出部３４は、インピーダンス変更指示信号がＬレベルからＨレベルに変化したタイミングで、図５のグラフに示す関係の計測を始める。ここで図５の縦軸は系統母線電圧ＶＢの１秒間平均値であり、横軸は式（１）のΔＶフリッカを△ＶＲＥＦと置き換えて得られる微小変動用無効電力Ｑ（ΔＶＲＥＦ）である。
【００３４】
次に、インピーダンス変更指示信号がＨレベルからＬレベルに変化したタイミングで得られた図５のグラフから、以下の式（２）、すなわち回帰直線の傾きより６０Ｈｚにおける系統インピーダンスＸＳ’を算出し、出力であるインピーダンス算出ゲインＧを更新する。
【００３５】
【数２】
2007267440.tif 000004
【００３６】
ゲイン調整部３５は、インピーダンス算出部３４により算出された系統インピーダンスＸＳが更新される都度、更新前後のＸｓとＸｓ’の比を、前記式（１）のゲインＧに乗じることにより、無効電力算出部３２により算出されたフリッカΔＶフリッカが生じたときに出力すべき無効電力Ｑ（ΔＶフリッカ）のゲインＧを調整するものである。
【００３７】
サイリスタ制御部３６は、無効電力算出部３２からの無効電力算出信号に基づいて、サイリスタ２２に所定の動作を行わせるために制御信号を出力して、サイリスタ２２を点弧角制御するものである。
【００３８】
次に、本実施形態に係る無効電力補償装置１の動作について図６を参照して説明する。併せて図７に示す従来の無効電力補償装置の動作との比較を行う。なお、図６及び図７の番号は無効電力補償装置１の動作及び系統母線６の変化を時系列で示すものである。
【００３９】
まず、従来の無効電力補償装置１の動作を説明する。
【００４０】
変動負荷５によるフリッカによって（（Ａ））、系統母線電圧ＶＢに電圧変動ΔＶフリッカが生じる（（Ｂ））。この電圧変動後の系統母線電圧ＶＢを計器用変圧器（ＰＴ）８により電圧計測部３１が計測する。そして、基準電圧設定部３３の基準電圧信号との差を、このフリッカにより生じた電圧変動分ΔＶフリッカとして抽出する。
【００４１】
その後、この電圧計測信号を受信した無効電力算出部３２が、上記電圧変動分ΔＶフリッカを補償するために出力すべき無効電力Ｑ（ΔＶフリッカ）を、前記式（１）に基づき算出する。この無効電力算出信号をサイリスタ制御部３６が受信して、サイリスタ２２を制御する。
【００４２】
以上の一連の動作によって、フリッカにより生じた系統母線６上の電圧変動ΔＶフリッカを補償する。
【００４３】
次に、本実施形態の無効電力補償装置１の動作を説明する。ここで示す装置１の動作は、フリッカ補償と系統インピーダンス計測とを同時に行う場合を示している。
【００４４】
変動負荷５によるフリッカによって（（Ａ））、系統母線電圧ＶＢに電圧変動ΔＶフリッカが生じる（（Ｂ））。この電圧変動後の系統母線電圧ＶＢを計器用変圧器（ＰＴ）８により電圧計測部３１が計測する。そして、電圧計測部３１からの電圧計測信号の値と基準電圧設定部３３からの基準電圧信号の値との誤差の１分ごとの累積平均値が、定格系統電圧の±０．５％を超過した場合に、このフリッカにより生じた電圧変動分ΔＶフリッカとして抽出するとともに、フリッカに関係なく系統母線６に電圧変動を生じさせるための変動分ΔＶＲＥＦを、基準電圧設定部３３において設定する（（Ｃ））。
【００４５】
その後、この電圧計測信号を受信した無効電力算出部３２が、上記電圧変動ΔＶフリッカ＋ΔＶＲＥＦを補償するために出力すべき無効電力Ｑ（ΔＶフリッカ＋ΔＶＲＥＦ）を前記式（１）に基づき算出する（（Ｄ））。この無効電力算出信号をサイリスタ制御部３６が受信して、サイリスタ２２を制御する（（Ｅ））。
【００４６】
そして、ΔＶＲＥＦに０以外の値が設定されている時間において、前述のように系統母線電圧ＶＢと無効電力Ｑ（ΔＶＲＥＦ）の関係から、系統インピーダンスＸＳを計測し、ゲイン調整部３５においてゲインＧを調整する。
【００４７】
本実施形態の無効電力補償装置１においては、ΔＶＲＥＦの計測精度が課題となるが、次の（ａ）、（ｂ）により解決する。
【００４８】
（ａ）フリッカによる系統母線６の電圧変動から生じる誤差への対策
【００４９】
変動負荷５によるフリッカによって計測値（系統母線電圧ＶＢ）が上下するが、フリッカの性質上１秒程の短時間で平均値は落ち着く。なぜならば、フリッカの原因となるアーク炉によるサイクルは、通常１秒間で数サイクル〜数十サイクルだからである。つまり、本実施形態では、１秒程度又はそれ以上に設定しているので、フリッカの影響を受けることなく系統母線電圧ＶＢを計測することができる。
【００５０】
（ｂ）ＳＶＣの動作精度から生じる誤差への対策
【００５１】
さらに微小変動用無効電力Ｑを許容される範囲（負荷時タップ切替付変圧器のタップが変化しない範囲を目安≒約１％）で変化させ、その回帰直線の傾きから系統インピーダンスＸＳを求める。
【００５２】
本装置１の動作精度から、回帰直線が原点を通らないこともあり得るが、回帰直線の傾きから系統インピーダンスＸＳを求めるため、回帰直線が原点を通るか否かは問題とならない。
【００５３】
なお、本発明の計測は、前記電圧計測部３１からの電圧計測信号の値と前記基準電圧設定部３３からの基準電圧信号の値との誤差の１分ごとの累積平均値が定格系統電圧の±０．５％を超過したタイミングで行うが、フリッカ補償の効果が増すと（ａ）の電圧変動が改善されるため、以降の計測精度も上がり、相乗効果がある。
【００５４】
以上の一連の動作によって、系統インピーダンスＸＳの計測を行うとともに、無効電力Ｑ算出のためのゲインＧを自動調整することにより、系統条件に拘わらず、最適なフリッカ補償を行うことができる。
【００５５】
このように構成した無効電力補償装置１によれば、系統インピーダンスＸＳを計測し、無効電力Ｑ演算のためのゲインＧを自動調整することにより、系統条件に拘わらず最適なフリッカ補償を行うことができる。
【００５６】
また、系統電圧変動部３３が、微小変動用無効電力Ｑを出力する時間を、平均値が収束する時間に設定しているので、フリッカが生じていても系統インピーダンスＸＳの監視を行うことができる。
【００５７】
なお、本発明は前記実施形態に限られるものではない。
【００５８】
例えば、前記実施形態では、微小変動用無効電力Ｑを変更する間隔を約１秒にしているが、これに限定されることはなく、フリッカの影響を受けない（平均値が収束する時間）範囲で１秒未満で良いし、また、１秒以上間隔を開けても良い。
【００５９】
さらに例えば、前記実施形態では、系統インピーダンスＸＳやゲインＧの更新を前記電圧計測部３１からの電圧計測信号の値と前記基準電圧設定部３３からの基準電圧信号の値との誤差の１分ごとの累積平均値が閾値を超えたタイミングで行っているが、例えば１０分おきのように、一定時間間隔で行っても良い。
【００６０】
また前記実施形態の無効電力出力回路は、リアクトル及びサイリスタにより構成するものであったが、自励式インバータにより構成するようにしても良い。この場合、自励式インバータはリアクトルを介して系統母線に接続される。
【００６１】
加えて、前記実施形態では、補償用無効電力及び微小変動用無効電力を同時に算出して、出力するものであったが、これらを別々に行うようにしても構わない。
【００６２】
その他、前述した実施形態や変形実施形態の一部又は全部を適宜組み合わせてよいし、本発明は前記実施形態に限られず、その趣旨を逸脱しない範囲で種々の変形が可能であるのは言うまでもない。
【図面の簡単な説明】
【００６３】
【図１】本発明の一実施形態に係る無効電力補償装置の概略構成図。
【図２】同実施形態における制御装置の機器構成図。
【図３】同実施形態における制御装置の機能構成図。
【図４】同実施形態における微小変動用無効電力Ｑ（ΔＶＲＥＦ）の時間変化を示す図。
【図５】同実施形態における微小変動用無効電力Ｑ（ΔＶＲＥＦ）を出力したときの系統母線電圧ＶＢの変化を示す図。
【図６】同実施形態における無効電力補償装置の動作を示す図。
【図７】従来の無効電力補償装置の動作を示す図。
【符号の説明】
【００６４】
１  ・・・無効電力補償装置
２１・・・リアクトル（第１のリアクトル）
２２・・・サイリスタ
３  ・・・制御装置
３１・・・電圧計測部
３３・・・系統電圧変動部
３４・・・インピーダンス算出部
３５・・・ゲイン調整部
【図１】
2007267440.tif 000005
【図２】
2007267440.tif 000006
【図３】
2007267440.tif 000007
【図４】
2007267440.tif 000008
【図５】
2007267440.tif 000009
【図６】
2007267440.tif 000010
【図７】
2007267440.tif 000011